(57)【要約】【課題】メンテナンスが行われている熱源装置が存在しつつも停止することを回避することができる熱源装置ユニットを提供する。【解決手段】熱源装置ユニット１は、熱利用機器９１に供給される熱媒体ＣＨの温度を調節する第１の熱源装置１１及び第２の熱源装置１２と、第１の熱源装置１１及び第２の熱源装置１２の運転状態を制御する制御部１０ｃＭとを備える。制御部１０ｃＭは、熱利用機器９１の負荷に応じて最初に第１の熱源装置１１を起動し、これで熱利用機器９１の負荷を賄えない場合に第２の熱源装置１２を追って起動し、第１の熱源装置１１及び第２の熱源装置１２が運転している状態が熱利用機器９１の負荷に照らして過剰な場合に第２の熱源装置１２から停止するように、第１の熱源装置１１及び第２の熱源装置１２を制御する。而して、第１の熱源装置１１及び第２の熱源装置１２それぞれの積算運転時間に差が生じ、同時のメンテナンスを回避できる。【選択図】図１
2015175564.tif 000002
【特許請求の範囲】
【請求項１】
熱利用機器に供給される熱媒体の温度を調節する第１の熱源装置と；
前記熱利用機器に供給される熱媒体の温度を調節する第２の熱源装置と；
前記第１の熱源装置及び前記第２の熱源装置の運転状態を制御する制御部とを備え；
前記制御部は、前記熱利用機器の負荷に応じて最初に前記第１の熱源装置を起動し、前記第１の熱源装置の運転で前記熱利用機器の負荷を賄えない場合に前記第２の熱源装置を追って起動し、前記第１の熱源装置及び前記第２の熱源装置が運転している状態が前記熱利用機器の負荷に照らして過剰な場合に前記第２の熱源装置から停止するように、前記第１の熱源装置及び前記第２の熱源装置を制御する；
熱源装置ユニット。
【請求項２】
前記第１の熱源装置及び前記第２の熱源装置の少なくとも一方が、前記熱媒体の温度を調節する熱源機を複数台有する熱源機群で構成され；
１つの前記熱源機群を構成する複数の前記熱源機は、それぞれ独立して運転可能に構成され；
前記制御部は、１つの前記熱源機群を構成する複数の前記熱源機のそれぞれの積算運転時間が平準化されるように、複数の前記熱源機の運転状態を制御する；
請求項１に記載の熱源装置ユニット。
【請求項３】
前記第１の熱源装置及び前記第２の熱源装置のメンテナンスの要否を判断する判断部を備え；
前記制御部は、前記判断部によってメンテナンスが必要と判断された熱源装置に対して、起動の優先順位を最後尾に変更し、かつ、停止の優先順位を最前列に変更するように構成された；
請求項１又は請求項２に記載の熱源装置ユニット。
【請求項４】
前記第１の熱源装置及び前記第２の熱源装置の故障の発生を検知する故障検知部と；
前記熱利用機器の負荷に照らして定常時には運転を行わないバックアップ熱源装置とを備え；
前記制御部は、前記故障検知部が故障の発生を検知したときに、故障が発生した熱源装置に代えて前記バックアップ熱源装置を運転させ、当該熱源装置が故障から復帰したときに前記バックアップ熱源装置を停止させるように構成された；
請求項１乃至請求項３のいずれか１項に記載の熱源装置ユニット。
【請求項５】
熱利用機器に供給される熱媒体の温度を調節する熱源機を複数台備え；
前記熱源機の運転状態を制御する制御部をさらに備え；
前記制御部は、複数台の前記熱源機を１台又は複数台を１つの単位として複数の単位に区分すると共に、あらかじめ設定された起動の優先順位に従って前記熱利用機器の負荷に応じて前記単位ごとに前記熱源機を起動し、複数台の前記熱源機が複数の前記単位で運転している状態が前記熱利用機器の負荷に照らして過剰な場合に前記起動の優先順位の低い順に前記単位ごとに前記熱源機を停止するように構成され；
前記単位を構成する前記熱源機の台数、区分された前記単位の前記起動の優先順位、及び前記熱源機のメンテナンスが必要となるまでの時間の少なくとも１つが設定可能に構成された；
熱源装置ユニット。
【発明の詳細な説明】
【技術分野】
【０００１】
本発明は熱源装置ユニットに関し、特にメンテナンスが行われている熱源装置が存在しつつも停止することを回避することができる熱源装置ユニットに関する。
【背景技術】
【０００２】
冷温水機等の熱源機を用いた空調設備では、熱負荷に応じた熱量の冷温水を供給するため、熱源機を複数台並列に接続し、熱負荷に応じた台数の熱源機を運転する台数制御が行われるものがある。台数制御が行われる複数台の熱源機では、各熱源機の積算運転時間が均一化するようにローテーションさせて運転を行わせるのが一般的である（例えば、特許文献１参照。）。
【先行技術文献】
【特許文献】
【０００３】
【特許文献１】特開平７−３５３８６号公報（段落００１４等）
【発明の概要】
【発明が解決しようとする課題】
【０００４】
しかしながら、複数台の熱源機をローテーションで運転させると、各熱源機を構成する機器の消耗が同時に進行することとなる。すると、各熱源機のメンテナンスの時期も同じになるため、複数台の熱源機のメンテナンスが同時に行われることとなり、熱源機のメンテナンス時には複数の熱源機を備えるユニットを停止せざるを得なくなる。
【０００５】
本発明は上述の課題に鑑み、メンテナンスが行われている熱源装置が存在しつつも停止することを回避することができる熱源装置ユニットを提供することを目的とする。
【課題を解決するための手段】
【０００６】
上記目的を達成するために、本発明の第１の態様に係る熱源装置ユニットは、例えば図１に示すように、熱利用機器９１に供給される熱媒体ＣＨの温度を調節する第１の熱源装置１１と；熱利用機器９１に供給される熱媒体ＣＨの温度を調節する第２の熱源装置１２と；第１の熱源装置１１及び第２の熱源装置１２の運転状態を制御する制御部１０ｃＭとを備え；制御部１０ｃＭは、熱利用機器９１の負荷に応じて最初に第１の熱源装置１１を起動し、第１の熱源装置１１の運転で熱利用機器９１の負荷を賄えない場合に第２の熱源装置１２を追って起動し、第１の熱源装置１１及び第２の熱源装置１２が運転している状態が熱利用機器９１の負荷に照らして過剰な場合に第２の熱源装置１２から停止するように、第１の熱源装置１１及び第２の熱源装置１２を制御する。
【０００７】
このように構成すると、熱源装置ユニットの運転時間の増加に伴って、第１の熱源装置の積算運転時間が第２の熱源装置の積算運転時間よりも長くなるので、第１の熱源装置及び第２の熱源装置それぞれのメンテナンスが必要な時期への到達をずらすことができ、メンテナンスに起因して熱源装置ユニットが停止することを回避することができる。
【０００８】
また、本発明の第２の態様に係る熱源装置ユニットは、例えば図１に示すように、上記本発明の第１の態様に係る熱源装置ユニット１において、第１の熱源装置１１及び第２の熱源装置１２の少なくとも一方が、熱媒体ＣＨの温度を調節する熱源機１０を複数台有する熱源機群で構成され；１つの熱源機群を構成する複数の熱源機１０は、それぞれ独立して運転可能に構成され；制御部１０ｃＭは、１つの熱源機群を構成する複数の熱源機１０のそれぞれの積算運転時間が平準化されるように、複数の熱源機１０の運転状態を制御する。
【０００９】
このように構成すると、熱源機群ごとにメンテナンスを行うことができ、メンテナンスの実施頻度を抑制することができる。
【００１０】
また、本発明の第３の態様に係る熱源装置ユニットは、例えば図１に示すように、上記本発明の第１の態様又は第２の態様に係る熱源装置ユニット１において、第１の熱源装置１１及び第２の熱源装置１２のメンテナンスの要否を判断する判断部１０ｃを備え；制御部１０ｃＭは、判断部１０ｃによってメンテナンスが必要と判断された熱源装置に対して、起動の優先順位を最後尾に変更し、かつ、停止の優先順位を最前列に変更するように構成されている。
【００１１】
このように構成すると、メンテナンスが必要な熱源装置が最後に起動されつつ最初に停止されることとなり、メンテナンスが必要な熱源装置の運転を抑制することができる。
【００１２】
また、本発明の第４の態様に係る熱源装置ユニットは、例えば図１及び図２に示すように、上記本発明の第１の態様乃至第３の態様のいずれか１つの態様に係る熱源装置ユニットにおいて、第１の熱源装置１１及び第２の熱源装置１２の故障の発生を検知する故障検知部１０ｃと；熱利用機器９１の負荷に照らして定常時には運転を行わないバックアップ熱源装置１９（図２参照）とを備え；制御部１０ｃＭは、故障検知部１０ｃが故障の発生を検知したときに、故障が発生した熱源装置に代えてバックアップ熱源装置１９を運転させ、当該熱源装置が故障から復帰したときにバックアップ熱源装置１９を停止させるように構成されている。
【００１３】
このように構成すると、故障により停止する熱源装置が生じた場合においても、故障発生前と同程度の熱負荷に応じた熱量の熱媒体を熱利用機器に供給可能とするように熱源装置ユニットの運転を継続することができる。
【００１４】
また、本発明の第５の態様に係る熱源装置ユニットは、例えば図１に示すように、熱利用機器９１に供給される熱媒体ＣＨの温度を調節する熱源機１０を複数台備え；熱源機１０の運転状態を制御する制御部１０ｃＭをさらに備え；制御部１０ｃＭは、複数台の熱源機１０を１台又は複数台を１つの単位として複数の単位１１、１２、１３に区分すると共に、あらかじめ設定された起動の優先順位に従って熱利用機器９１の負荷に応じて単位１１、１２、１３ごとに熱源機１０を起動し、複数台の熱源機１０が複数の単位で運転している状態が熱利用機器９１の負荷に照らして過剰な場合に起動の優先順位の低い順に単位１１、１２、１３ごとに熱源機１０を停止するように構成され；単位１１、１２、１３を構成する熱源機１０の台数、区分された単位１１、１２、１３の起動の優先順位、及び熱源機１０のメンテナンスが必要となるまでの時間の少なくとも１つが設定可能に構成されている。典型的には、各単位を構成する熱源機の台数は単位ごとに異なっていてもよく、１つの単位を構成する熱源機が複数台の場合は当該複数台の熱源機が独立して運転可能で各熱源機の積算運転時間が平準化されるように運転される。また、各単位を構成する熱源機の台数、区分された単位の起動の優先順位、熱源機のメンテナンスが必要となるまでの時間の設定は、典型的には図示しない操作・表示器等により行われる。
【００１５】
このように構成すると、単位ごとに熱源機のメンテナンスが必要な時期への到達をずらすことができ、メンテナンスに起因して熱源装置ユニットが停止することを回避することができる。また、熱源装置ユニットが設置される場所の熱源機の使用状況や台数変動等の変化に合わせて、各単位を構成する熱源機の台数を、適宜、適切な台数に変更することができる。
【発明の効果】
【００１６】
本発明によれば、第１の熱源装置の積算運転時間が第２の熱源装置の積算運転時間よりも長くなるので、メンテナンスが必要な時期への到達をずらすことができ、メンテナンスに起因して熱源装置ユニットが停止することを回避することができる。
【図面の簡単な説明】
【００１７】
【図１】（Ａ）は本発明の実施の形態に係る熱源装置ユニットの模式的系統図、（Ｂ）は熱源装置ユニットを構成する熱源機まわりの概略構成図である。
【図２】本発明の実施の形態の変形例に係る熱源装置ユニットの熱源機の構成を示す部分系統図である。
【発明を実施するための形態】
【００１８】
以下、図面を参照して本発明の実施の形態について説明する。なお、各図において互いに同一又は相当する部材には同一あるいは類似の符号を付し、重複した説明は省略する。
【００１９】
まず図１を参照して、本発明の実施の形態に係る熱源装置ユニットを説明する。図１は、熱源装置ユニット１を説明する図であり、（Ａ）は熱源装置ユニット１の模式的系統図、（Ｂ）は熱源装置ユニット１を構成する熱源機１０まわりの概略構成図である。熱源装置ユニット１は、複数の熱源装置１１、１２、１３を備えている。ここで、「熱源装置」は、熱媒体としての冷温水ＣＨの温度を調節する熱源機１０の複数台を１つの単位として構成された熱源機群、及び１台の熱源機１０、の双方を包含する上位概念である。熱源装置ユニット１は、本実施の形態では、同じ性能の熱源機１０を６台有している。熱源機１０を複数台有することにより、処理すべき熱負荷に応じた台数の熱源機１０を運転することができるようになっている。冷温水ＣＨは、熱利用機器としての空調機９１で利用される熱を搬送する媒体であり、空調機９１で冷房が行われるときは冷却された冷水となり、空調機９１で暖房が行われるときは加熱された温水となる。
【００２０】
ここで主に図１（Ｂ）を参照して、熱源機１０まわりの構成を説明する。熱源機１０は、空調機９１から戻ってきた冷温水ＣＨを導入し、導入した冷温水ＣＨの温度を調節して、再び空調機９１へ供給する機器である。以下の説明において、熱源機１０で温度が調節されて空調機９１に供給される冷温水ＣＨを「往冷温水ＣＨＳ」といい、空調機９１で熱が利用された後に熱源機１０に戻ってくる冷温水ＣＨを「還冷温水ＣＨＲ」といい、両者を区別しない場合は単に「冷温水ＣＨ」ということとする。熱源機１０は、冷温水ＣＨを、必要に応じて冷却又は加熱することができるように構成されている。熱源機１１は、導入する還冷温水ＣＨＲの温度を検知する手段（不図示）、及び供給する往冷温水ＣＨＳの温度を検知する手段（不図示）を有している。
【００２１】
熱源機１０には、制御盤１０ｃが併設されている。制御盤１０ｃは、熱源機１０に、冷温水ＣＨを冷却する運転を行わせるか、冷温水ＣＨを加熱する運転を行わせるかを制御することができるように構成されている。また、制御盤１０ｃは、熱源機１０に何らかの故障が生じたときに、故障の発生を検知することができるように構成されている。つまり、本実施の形態では、制御盤１０ｃが故障検知部を有している。また、制御盤１０ｃは、信号ケーブルで接続された他の機器との間で制御信号の授受をすることができ、制御信号を送信した他の機器の動作を制御することができるように構成されている。制御盤１０ｃは、他の機器の１つとしての冷温水ポンプ６０と信号ケーブルで接続されており、冷温水ポンプ６０の発停を制御することができるように構成されている。また、熱源機１０には、往冷温水ＣＨＳを流す往冷温水管２０の一端と、還冷温水ＣＨＲを流す還冷温水管５０の一端とがそれぞれ接続されている。還冷温水管５０には、冷温水ポンプ６０が配設されている。熱源機１０は、冷温水ポンプ６０の起動により、還冷温水管５０を介して還冷温水ＣＨＲを導入し、導入した還冷温水ＣＨＲの温度を調節して往冷温水ＣＨＳとして、往冷温水管２０に供給することができるように構成されている。
【００２２】
図１（Ａ）に示すように、本実施の形態では、上述のように構成された熱源機１０が、６台並列に接続されている。各熱源機１０に接続された往冷温水管２０の他端は相互に接続されており、各往冷温水管２０を流れる往冷温水ＣＨＳが合流して集合往冷温水管３０に導入されるように構成されている。集合往冷温水管３０は、ヘッダーとして構成されていてもよい。他方、各熱源機１０に接続された還冷温水管５０の他端は相互に接続されており、集合還冷温水管４０を流れてきた還冷温水ＣＨＲが各還冷温水管５０に分配されるように構成されている。集合還冷温水管４０は、ヘッダーとして構成されていてもよい。
【００２３】
一端に往冷温水管２０が接続された集合往冷温水管３０の他端には、往冷温水ＣＨＳを空調機９１に導く負荷往管９４が接続されている。負荷往管９４には、往冷温水ＣＨＳを空調機９１に向けて圧送する二次ポンプ９２が配設されている。一端に還冷温水管５０が接続された集合還冷温水管４０の他端には、空調機９１から排出された還冷温水ＣＨＲを集合還冷温水管４０に導く負荷還管９７が接続されている。
【００２４】
熱源機１０を６台有する熱源装置ユニット１は、空調機９１の熱負荷に応じて、運転する台数を増減する台数制御が行われるように構成されている。複数台の熱源機の台数制御を行う場合、従来は、各熱源機の積算運転時間が均一化（平準化）するように発停を制御するのが一般的であった。しかし、本実施の形態では、６台の熱源機１０が同時にメンテナンス時期を迎えるのを回避するために、６台の熱源機１０を３つのグループ（単位）に分けて、各グループ間で積算運転時間に差がつくように発停を制御することとしている。以下の説明の便宜上、同じ性能を有する熱源機１０について区別するため、１台ずつ、甲一熱源機１１Ａ、甲二熱源機１１Ｂ、乙一熱源機１２Ａ、乙二熱源機１２Ｂ、丙一熱源機１３Ａ、丙二熱源機１３Ｂと呼称することとする。甲一熱源機１１Ａと甲二熱源機１１Ｂとで甲熱源装置１１を構成している。乙一熱源機１２Ａと乙二熱源機１２Ｂとで乙熱源装置１２を構成している。丙一熱源機１３Ａと丙二熱源機１３Ｂとで丙熱源装置１３を構成している。つまり、熱源装置ユニット１は、甲熱源装置１１、乙熱源装置１２、丙熱源装置１３の３つのグループ（単位）に分かれている。また、甲熱源装置１１、乙熱源装置１２、丙熱源装置１３は、それぞれ、熱源機１０を複数台有する熱源機群であるといえる。甲熱源装置１１を構成する甲一熱源機１１Ａ及び甲二熱源機１１Ｂは、それぞれ独立して運転（発停）することができる。乙熱源装置１２を構成する乙一熱源機１２Ａ及び乙二熱源機１２Ｂ、並びに丙熱源装置１３を構成する丙一熱源機１３Ａ及び丙二熱源機１３Ｂも同様である。
【００２５】
６台の熱源機１０にそれぞれ併設されている制御盤１０ｃは、相互に制御信号の受け渡しができるように構成されている。各制御盤１０ｃは、各々が熱源機１０の台数制御を司ることができる性能を有しているが、本実施の形態では、甲一熱源機１１Ａに併設された制御盤１０ｃをマスター制御盤（特に「マスター制御盤１０ｃＭ」ということとする。）として設定することとし、熱源装置ユニット１全体の制御はマスター制御盤１０ｃＭによって行われることとしている。つまり、本実施の形態では、甲一熱源機１１Ａに併設されたマスター制御盤１０ｃＭが制御部に相当し、マスター制御盤１０ｃＭによって、熱源装置ユニット１が有する６台の熱源機１０の台数制御が行われるように構成されている。また、各制御盤１０ｃは、それぞれ、所定の条件に基づいて熱源機１０のメンテナンスの要否を判断するように構成されている。本実施の形態では、制御盤１０ｃが判断部を有している。制御盤１０ｃは、所定の条件を充足したときにプリアラーム（予備異常）にて外部に表示するように構成されていてもよい。
【００２６】
熱源機１０のメンテナンスの要否を判断する所定の条件の例として、積算運転時間、積算電力、経過時間、運転データ等が挙げられる。積算運転時間では、回転体（コンプレッサ等）の動的摩耗を推定することができる。熱源機１０の積算運転時間と回転体の摩耗状況との関係をあらかじめ制御盤１０ｃが有する判断部に記憶しておき、回転体のメンテナンスが必要と思われる運転時間が経過したときにプリアラームを発生させることができる。積算電力は、熱源機１０が消費した電力から運転負荷状況を監視し、定格条件以上の負荷での使用を所定期間続けたときにプリアラームを発生させることができる。経過時間は、熱源機１０を設置してから又は前回のメンテナンスを行ってから経過した時間（熱源機１０の運転時間は不問）であり、シール材等の経年劣化品の交換時期を判断することができる。経過時間と経年劣化品の交換時期との関係をあらかじめ制御盤１０ｃが有する判断部に記憶しておき、経年劣化品の交換が必要と思われる時間が経過したときにプリアラームを発生させることができる。運転データでは、熱源機１０に設けられた熱交換器（蒸発器や凝縮器等を含む）内の水温、冷媒温度、冷媒圧力等から、熱交換器への汚れの付着状況を推定することができる。熱交換器への汚れの付着状況は、熱交換器内の水温、冷媒温度、冷媒圧力等からＬＴＤ（Ｌｅａｖｉｎｇ  Ｔｅｍｐｅｒａｔｕｒｅ  Ｄｉｆｆｅｒｅｎｃｅ）を算出し、メンテナンスが必要と思われるＬＴＤの値となったときにプリアラームを発生させることができる。なお、熱源機１０のメンテナンスが必要となるまでの時間は、制御盤１０ｃが有する判断部を介して、図示しない操作・表示器等により設定できるように構成されていてもよい。これにより、現場の熱源機１０の使用年数や状況の変化に合わせて、熱源装置のメンテナンスが必要となるまでの時間を、適宜、適切に変更することができる。
【００２７】
引き続き図１を参照して、熱源装置ユニット１の作用を説明する。空調機９１に処理すべき熱負荷が生じて往冷温水ＣＨＳの供給を要求する指令をマスター制御盤１０ｃＭが受けたら、マスター制御盤１０ｃＭは、甲一熱源機１１Ａを起動する。甲一熱源機１１Ａの起動の際、甲一熱源機１１Ａに属する制御盤１０ｃ（本実施の形態ではマスター制御盤１０ｃＭ）は、甲一熱源機１１Ａに属する冷温水ポンプ６０をも起動する。甲一熱源機１１Ａに属する冷温水ポンプ６０の起動により、冷温水ＣＨが、甲一熱源機１１Ａに属する往冷温水管２０及び還冷温水管５０を流動する。流動する冷温水ＣＨは、運転中の甲一熱源機１１Ａにおいて温度が調節され、往冷温水ＣＨＳとして往冷温水管２０を介して集合往冷温水管３０に至る。集合往冷温水管３０の往冷温水ＣＨＳは、二次ポンプ９２によって空調機９１に搬送され、空調機９１で往冷温水ＣＨＳが保有する熱が利用される。熱利用が行われた往冷温水ＣＨＳは、空調機９１で冷房が行われるときは温度が上昇し、空調機９１で暖房が行われるときは温度が低下して、還冷温水ＣＨＲとなる。空調機９１から出た還冷温水ＣＨＲは、集合還冷温水管４０を介して甲一熱源機１１Ａに属する還冷温水管５０を流れ、甲一熱源機１１Ａに流入する。甲一熱源機１１Ａに流入した還冷温水ＣＨＲは、再び温度が調節されて往冷温水ＣＨＳとなり、集合往冷温水管３０に向けて甲一熱源機１１Ａに属する往冷温水管２０を流れ、以降、上述の作用を繰り返す。なお、以下の説明において、甲一熱源機１１Ａ以外の熱源機１０についても、当該熱源機１０を起動又は運転するというときは、原則として、当該熱源機１０に属する制御盤１０ｃの指令による当該熱源機１０に属する冷温水ポンプ６０の起動を伴って、当該熱源機１０に属する往冷温水管２０及び還冷温水管５０を冷温水ＣＨが流動し、当該熱源機１０において冷温水ＣＨの温度が調節されることを意味することとする。
【００２８】
甲一熱源機１１Ａの運転だけでは空調機９１における熱負荷の処理に不十分な場合、マスター制御盤１０ｃＭは、甲二熱源機１１Ｂを起動する。それでもなお、空調機９１における熱負荷の処理に不十分な場合、マスター制御盤１０ｃＭは、空調機９１における熱負荷の処理に足りる熱量の冷温水ＣＨを空調機９１に供給することができるようになるまで、乙一熱源機１２Ａ、乙二熱源機１２Ｂ、丙一熱源機１３Ａ、丙二熱源機１３Ｂの順に起動する。なお、起動（増段）の優先順は、熱源機群（熱源装置）単位で設定されており、甲熱源装置１１、乙熱源装置１２、丙熱源装置１３の順になっている。本実施の形態では、甲熱源装置１１が第１の熱源装置に相当し、乙熱源装置１２が第２の熱源装置に相当する。丙熱源装置１３は、起動順が第２の熱源装置の次である第３の熱源装置に相当する。各熱源装置１１、１２、１３内における熱源機１０の起動順は固定しなくてもよく、例えば甲熱源装置１１であれば甲一熱源機１１Ａ、甲二熱源機１１Ｂの順でなくてもよいが、本実施の形態では、各熱源装置１１、１２、１３内において熱源機１０の積算運転が平準化するような順序で起動することとしている。
【００２９】
熱源装置ユニット１の運転中、空調機９１における熱負荷が減少して、熱源機１０の運転台数が過剰になった場合、マスター制御盤１０ｃＭは、空調機９１の熱負荷に照らして適切な台数の熱源機１０が運転状態となるように、過剰分の熱源機１０を停止する。なお、停止（減段）の優先順は、熱源機群（熱源装置）単位で起動順とは逆に設定されており、丙熱源装置１３、乙熱源装置１２、甲熱源装置１１の順になっている。減段時においても、各熱源装置１１、１２、１３内における熱源機１０の起動順は固定しなくてもよく、本実施の形態では、各熱源装置１１、１２、１３内において熱源機１０の積算運転時間が平準化するような順序で停止することとしている。つまり、熱源装置ユニット１では、熱源機１０の起動及び停止において、熱源機群（熱源装置）ごとに、積算運転時間の短い熱源機１０から起動させ、積算運転時間の長い熱源機１０から停止させることとしている。
【００３０】
熱源装置ユニット１は、上述のように、熱源機１０の増段時は甲熱源装置１１、乙熱源装置１２、丙熱源装置１３の順に起動し、熱源機１０の減段時は丙熱源装置１３、乙熱源装置１２、甲熱源装置１１の順に停止する。このように熱源機１０の台数制御が行われることにより、熱源装置ユニット１の運転時間が増加するにつれて、甲熱源装置１１に属する熱源機１０の積算運転時間が最大となり、丙熱源装置１３に属する熱源機１０の積算運転時間が最小となるように、各熱源装置１１、１２、１３の間で積算運転時間に差が生じることとなる。このため、積算運転時間に起因するメンテナンス時期の到来が、甲熱源装置１１と、乙熱源装置１２と、丙熱源装置１３とでずれることとなる。よって、甲熱源装置１１のメンテナンスを行う際に、乙熱源装置１２及び丙熱源装置１３を運転することが可能となり、積算運転時間に起因するメンテナンスによって熱源装置ユニット１を停止せざるを得ない状況となることを回避することができる。また、熱源装置ユニット１では、各熱源装置１１、１２、１３内において熱源機１０の積算運転時間が平準化するような順序で熱源機１０の起動及び停止を行うので、一時期に１台の熱源機１０のメンテナンスを行うのではなく、熱源機群（熱源装置）ごとに複数台の熱源機１０をまとめてメンテナンスすることができ、メンテナンスの実施頻度を抑制することができる。
【００３１】
なお、第１の熱源装置としての甲熱源装置１１がメンテナンス時期に至り、マスター制御盤１０ｃＭが甲熱源装置１１についてメンテナンスが必要であると判断したら（このときプリアラームを発生させてもよい）、マスター制御盤１０ｃＭは、甲熱源装置１１の起動の優先順を最後尾に、甲熱源装置１１の停止の優先順を最前列に変更するとよい。これにより、起動の優先順が乙熱源装置１２、丙熱源装置１３、甲熱源装置１１の順となり、停止の優先順が甲熱源装置１１、丙熱源装置１３、乙熱源装置１２の順となる。このように増段及び減段の順序を変更したとき、乙熱源装置１２が第１の熱源装置に相当し、丙熱源装置１３が第２の熱源装置に相当し、甲熱源装置１１が第３の熱源装置に相当することとなる。メンテナンスが必要であると判断された熱源装置（上述の例では甲熱源装置１１）の起動順及び停止順を上述のように変更することで、メンテナンスが必要な熱源装置に属する熱源機１０の運転を抑制することができる。また、メンテナンスが終了して積算運転時間がリセットされることで積算運転時間が最小の熱源機１０となるため、各熱源装置１１、１２、１３の間で積算運転時間に差を付けるのに適切な順序となる。
【００３２】
次に図２を参照して、本発明の実施の形態の変形例に係る熱源装置ユニット１Ａを説明する。図２は、熱源装置ユニット１Ａの熱源機１０の構成を示す部分系統図である。図２では、熱源機１０のみを示して、図１（Ｂ）に示す熱源機１０に付随する往冷温水管２０、還冷温水管５０、冷温水ポンプ６０、並びに集合往冷温水管３０及び集合還冷温水管４０の図示を省略している。また、熱源装置ユニット１Ａにおいても、典型的には、図１（Ａ）に示すような空調機９１まわりの二次側の構成が、集合往冷温水管３０及び集合還冷温水管４０に接続される。以下の熱源装置ユニット１Ａの説明において、図２に示されていない熱源機１０まわりの構成及び空調機９１等の二次側の構成に言及しているときは、適宜図１を参照することとする。熱源装置ユニット１Ａは、熱源装置ユニット１（図１（Ａ）参照）と比較して、３つの熱源装置１１、１２、１３に加え、後一熱源機１９Ａ及び後二熱源機１９Ｂを有するバックアップ熱源装置１９を備えている点で相違している。後一熱源機１９Ａ及び後二熱源機１９Ｂは、熱源機１０について便宜上付した呼称であり、性能は熱源機１０と同じである。熱源装置ユニット１Ａでは、空調機９１（図１（Ａ）参照）の最大時の熱負荷を、３つの熱源装置１１、１２、１３で賄えるように設計されており、バックアップ熱源装置１９は、３つの熱源装置１１、１２、１３のいずれかが故障等により運転できない場合の予備機として設けられている。
【００３３】
上述のように構成された熱源装置ユニット１Ａでは、通常（定常時）、熱源装置ユニット１（図１参照）と同様の要領で３つの熱源装置１１、１２、１３の発停が行われ、その間バックアップ熱源装置１９は停止している。そして、制御盤１０ｃが有する故障検知部が、３つの熱源装置１１、１２、１３のいずれかに属する熱源機１０の故障の発生を検知したときに、マスター制御盤１０ｃＭは、故障が発生した熱源機１０が属する熱源装置（熱源機群）に代えて、バックアップ熱源装置１９を起動する。そして、故障が発生した熱源機１０の修理が行われ、当該熱源機１０が故障から復帰したときに、マスター制御盤１０ｃＭは、故障から復帰した熱源機１０が属する熱源装置（熱源機群）を、故障発生前の序列で運転させる一方で、バックアップ熱源装置１９を停止させる。上述のように作用する熱源装置ユニット１Ａによれば、いずれかの熱源機１０に突発的な故障が発生した場合であっても、故障発生前と同様に空調機９１に往冷温水ＣＨＳを供給することができる。なお、前述したメンテナンスの要否を判断する判断部とは別に故障検知部が設けられていることで、メンテナンスの観点からの熱源機１０の運転とは独立して、故障の有無の観点から熱源機１０の運転を制御することができる。
【００３４】
以上の説明では、各制御盤１０ｃが故障検知部及び判断部を有しているとしたが、故障検知部及び／又は判断部が制御盤１０ｃと別体に構成されていてもよい。
【００３５】
以上の説明では、甲熱源装置１１、乙熱源装置１２、丙熱源装置１３のそれぞれが２台の熱源機１０を有していることとしたが、各熱源装置１１、１２、１３が有する熱源機１０の台数は、２台以上（３台、４台等）であってもよく、１台であってもよい。また、熱源装置ユニット１が備える各熱源装置１１、１２、１３を構成する熱源機１０の台数は、熱源装置（熱源機群）ごとに異なっていてもよい。これらの事項は、熱源装置ユニット１Ａが備えるバックアップ熱源装置１９にも該当する。
【００３６】
以上の説明では、空調機９１の熱負荷に応じて運転し得る熱源装置（熱源機群を構成する熱源機１０のグループ）が３つで構成されているとしたが、熱源装置（グループ）は２つでもよく、４つ以上でもよい。典型的には、複数台の熱源機１０について、各熱源機１０がどの熱源装置に属し、熱源装置がいくつ構成されるかは、各熱源機１０に併設された制御盤１０ｃを介して、図示しない操作・表示器等により設定することができる。また、複数構成された熱源装置の起動順及び停止順も、各熱源機１０に併設された制御盤１０ｃを介して設定することができる。これにより、現場の熱源機１０の使用状況や台数変動等の変化に合わせて、熱源装置の構成や起動又は停止順序を、適宜、適切に変更することができる。
【００３７】
以上の説明では、積算運転時間に起因するメンテナンスの完了後に、熱源機群（熱源装置）の起動及び停止の優先順を変更することとしたが、他の要因でメンテナンスを完了したときでも、メンテナンスの完了後に起動及び停止の優先順を変更することとするとよい。また、起動の優先順が上位の熱源装置に故障が発生した場合は、当該故障が発生した熱源装置の起動を飛ばして下位の熱源装置の起動の優先順を繰り上げ、当該故障が発生した熱源装置についてアラームを発生させ、修理及びメンテナンスを行ったうえで、当該故障が発生した熱源装置の起動の優先順を最後尾に変更することとしてもよい。この場合、起動の優先順が最後尾に変更されたことに伴い、停止の優先順は最前列に変更される。
【００３８】
以上の説明では、熱源機１１が、状況に応じて冷熱及び温熱のいずれか一方を選択的に生成できるもの（例えば冷温水発生機）であるとしたが、冷熱のみを生成する熱源機（例えば冷凍機）、あるいは温熱のみを生成する熱源機（例えば狭義のヒートポンプ）であってもよい。
【００３９】
以上の説明では、熱利用機器が空調機（エアハンドリングユニット）であるとしたが、熱源装置ユニット１は、ファンコイルや冷蔵ショーケース等の、空調機以外の機器に往冷温水ＣＨＳを供給することも可能である。
【００４０】
以上の説明では、熱媒体が冷温水ＣＨであるとしたが、冷水又は温水でもよく、あるいは水以外の不凍液等の流体であってもよい。
【符号の説明】
【００４１】
１、１Ａ  熱源装置ユニット
１０  熱源機
１０ｃ  制御盤
１０ｃＭ  マスター制御盤
１１  甲熱源装置
１２  乙熱源装置
１３  丙熱源装置
１９  バックアップ熱源装置
９１  空調機
ＣＨ    冷温水
ＣＨＳ  往冷温水
ＣＨＲ  還冷温水
【図１】
2015175564.tif 000003
【図２】
2015175564.tif 000004